(57)【要約】【課題】標準的な大きさの直方体状容器などの平らな容器に収納可能な折りたたみ式大判カレンダーを提供することにある。【解決手段】用紙の一方の面方向をＸ方向、これに直交する面方向をＹ方向、厚さ方向をＺ方向とするとき、Ｘ方向に複数枚隣接するように並べられてページ毎に組をなして全体として統一性のある模様及び暦が表され、複数組がＺ方向に重ねられた用紙の束２ａ、２ｂと、前記用紙のＹ方向一端に各束に１本ずつ配置され、Ｘ方向に延びるレール３ａ、３ｂと、隣り合うレール又は隣り合う用紙の束に跨って固着された屈曲自在な連結部材４と、前記レール上を走行可能で、隣り合うレールに跨ってレール同士を連結しうるジョイナー５とを備えることを特徴とする。【選択図】図１
2013039765.tif 000002
【特許請求の範囲】
【請求項１】
用紙の一方の面方向をＸ方向、これに直交する面方向をＹ方向、厚さ方向をＺ方向とするとき、
Ｘ方向に複数枚隣接するように並べられてページ毎に組をなして全体として統一性のある模様及び暦が表され、複数組がＺ方向に重ねられた用紙の束と、
前記用紙のＹ方向一端に各束に１本ずつ配置され、Ｘ方向に延びるレールと、
隣り合うレール又は隣り合う用紙の束に跨って固着された屈曲自在な連結部材と、
前記レール上を走行可能で、隣り合うレールに跨ってレール同士を連結しうるジョイナーと
を備えることを特徴とする折りたたみ式大判カレンダー。
【請求項２】
月めくりカレンダーである請求項１に記載の折りたたみ式大判カレンダー。
【請求項３】
前記レールは、前記用紙の束を綴じるものである請求項１又は２に記載の折りたたみ式大判カレンダー。
【発明の詳細な説明】
【技術分野】
【０００１】
この発明は、折りたたみ式大判カレンダーに関する。このカレンダーは、贈答用に好適である。
【背景技術】
【０００２】
ページ毎に月が変わる月めくり大判カレンダーを自社の宣伝を兼ねて贈答品として顧客に贈ることがある。販売時あるいは配布時の形態としては、巻いた状態で包装するか又は厚紙製円筒状の容器に入れるのが一般的である（特許文献１）。
【先行技術文献】
【特許文献】
【０００３】
【特許文献１】特開２００４−２６８５４６号公報
【発明の概要】
【発明が解決しようとする課題】
【０００４】
しかし、巻くのに手間がかかるし、容器に収納する場合は容器が円筒状であるから送料が高くつくうえ、容器に直接住所を印刷することができない。
それ故、この発明の課題は、標準的な大きさの直方体状容器などの平らな容器に収納可能な折りたたみ式大判カレンダーを提供することにある。
【課題を解決するための手段】
【０００５】
その課題を解決するために、この発明の大判カレンダーは、
用紙の一方の面方向をＸ方向、これに直交する面方向をＹ方向、厚さ方向をＺ方向とするとき、
Ｘ方向に複数枚隣接するように並べられてページ毎に組をなして全体として統一性のある模様及び暦が表され、複数組がＺ方向に重ねられた用紙の束と、
前記用紙のＹ方向一端に各束に１本ずつ配置され、Ｘ方向に延びるレールと、
隣り合うレール又は隣り合う用紙の束に跨って固着された屈曲自在な連結部材と、
前記レール上を走行可能で、隣り合うレールに跨ってレール同士を連結しうるジョイナーと
を備えることを特徴とする。
【０００６】
一組の用紙の枚数は通常２であるが、３以上であってもよい。用紙の束の数及びレールの本数は、一組の用紙の枚数に一致する。ジョイナーは、隣り合うレールに跨る分だけ有ればよいので、その個数はレースの本数より１少なくて足りる。連結部材は、カレンダーが展開されるまでの間、隣り合うレール又は隣り合う用紙の束を連ねておけるものであればよく、粘着剤が塗布されたフィルム、紐、蝶番などであってよい。
【０００７】
この発明のカレンダーは、容器に収納するときは隣り合うレール間の連結部材の部分で折り（一組の用紙の枚数が２のときは二つ折り）たたむことにより平面積が１枚の用紙の面積と同じ、即ちページ全体の１／ｎ（ｎは一組の用紙の枚数）になり、連結部材以外の要素に折り目は付かない。Ｙ方向中間位置でたたむことにより更に１／２となり、用紙がＹ方向中間位置で撓むだけに止まる。
【０００８】
使用するときは、展開してジョイナーを隣り合う２本のレールに跨る位置に移動させ、ジョイナー及びレールのいずれかを壁に固定すればよい。元々連結部材で連結されているので、組（ページ）内の用紙の一体性が損なわれることがなく、隣り合うレール同士がジョイナーで連結されることにより、互いに角度をなすことなく同一直線上に並ぶので、同じ組に属する用紙がほぼ同一面内に保たれる。しかも同じ組内の用紙には全体で統一性のある模様及び暦が表されている。そのため、同じ組内の用紙があたかも一枚の用紙のように映る。
【発明の効果】
【０００９】
折りたたんで収納できるので、収納にあまり手間がかからない。また、折りたたむことにより、平面視で小さい形になるので、直方体状の容器等の平らな容器に収納でき、発送料は安くなる。更に容器が平らであることから、容器に直接住所を印刷することができ、経済的である。 
【図面の簡単な説明】
【００１０】
【図１】実施形態の折りたたみ式大判カレンダーを示す正面図である。
【図２】同じく側面図である。
【図３】同じく背面図である。
【図４】同じく側面のレール部拡大図である。
【図５】実施形態の折りたたみ式大判カレンダーを二つ折りにした状態の正面図である。
【図６】実施形態の折りたたみ式大判カレンダーを四つ折りにした状態の正面図である。
【発明を実施するための形態】
【００１１】
この発明の折りたたみ式大判カレンダーを実施形態に基づいて図面とともに具体的に説明する。カレンダー１は、左側用紙の束２ａ、右側用紙の束２ｂ、左側レール３ａ、右側レール３ｂ、フィルム４及びジョイナー５からなる。
【００１２】
用紙の束２ａ（２ｂ）は、同じ大きさの長方形の用紙が１２枚重ね合わせられて上端が綴じられたもので、各用紙の表面には模様と月の半分の日付が印刷され、上端付近に左右方向にミシン目（図示省略）が形成されている。これらの模様と日付は、同じページの左側用紙の右辺と右側用紙の左辺を合わせることにより、いずれのページにもページ全体で統一性のある模様と一月分の暦が現れる。尚、図示の模様と形状は、１月から６月までのページがミシン目に沿って切り取られた状態を現している。
【００１３】
左側レール３ａ及び右側レール３ｂは、それぞれ束２ａ及び束２ｂの上端に連なる裏面に固定されている。各レール３ａ（３ｂ）には図４に示すように、固定面と反対側の面の上端に、口の上下方向間隔が狭くて奥が広く左右に延びる断面横Ｔ字形状の凹部からなるガイド６が形成されている。束２ａ、２ｂ、レール３ａ、３ｂは、模様と暦を除いて左右対称をなしている。
【００１４】
フィルム４は、透明プラスチックからなり、一方の面に図略の粘着剤が塗布されていて、束２ａ及び束２ｂの上端に連なる表面に両方の束に跨るように粘着剤を介して貼られている。ジョイナー５は、レール３ａ（３ｂ）より左右方向に短く、一方の面にガイド６と相補する断面形状のガイドフォロアを有し、両端に上方に延びる吊り下げ部５ａ、５ｂを有する。吊り下げ部５ａ、５ｂには釘が通る孔が開けられている。
【００１５】
このカレンダー１は、ジョイナー５をいずれかのレールに寄せておき、レール３ａ、３ｂ間のフィルム４の部分で折りたたむことにより、図５に示すように平面積が１枚の用紙の面積と同じ、即ちページ全体の１／２になり、フィルム４以外の要素に折り目は付かない。上下方向中間位置でたたむことにより、図６に示すように更に１／２となり、用紙が上下方向中間位置で撓むだけに止まる。そして、段ボール紙あるいは厚紙からなる標準的な直方体状の容器に収納することができる。
【００１６】
使用するときは、展開してジョイナー５を２本のレール３ａ、３ｂに跨る位置にスライドさせ、壁や柱に打ち付けられた釘、フック等に吊り下げ部５ａ、５ｂを引っかけることにより壁あるいは柱に固定する。元々フィルム４で連結されているので、組（ページ）内の用紙の一体性が損なわれることがなく、ジョイナー５を容易にスライドさせることができる。そして、レール３ａ、３ｂ同士がジョイナー５で連結されることにより、互いに角度をなすことなく同一直線上に並ぶので、左右の同じページの用紙がほぼ同一面内に保たれる。しかも同じ組内の用紙には全体で統一性のある風景及び暦が表されている。そのため、同じ組内の用紙があたかも一枚の用紙のように映る。
【００１７】
この実施形態では１ページを二分割、すなわち１ページの用紙の枚数を２としたが、三分割３枚、四分割４枚であってもよい。吊り下げ部５ａ、５ｂは、レール側に設けても良い。また、レールの下端面に用紙の束の上端を弾力的に挿入する溝を設けて、用紙をレールで綴じるようにしてもよい。
【符号の説明】
【００１８】
１  カレンダー
２ａ、２ｂ  束
３ａ、３ｂ  レール
４  フィルム
５  ジョイナー
５ａ、５ｂ  吊り下げ部
６  ガイド
【図１】
2013039765.tif 000003
【図２】
2013039765.tif 000004
【図３】
2013039765.tif 000005
【図４】
2013039765.tif 000006
【図５】
2013039765.tif 000007
【図６】
2013039765.tif 000008